(57)【要約】【課題】送信機と受信機との間にクロック誤差があっても、受信機の受信回路の動作時間を短くすることができ、低消費電力化が図れる、無線通信システム、受信機、および送信機を提供する。【解決手段】図１（Ａ）に示す従来の方法の場合は、時間Ｔｍだけ、早めに受信機を動作させ、受信機内のクロック誤差が時間Ｔｍを越えないうちに同期を取っていた。このため、クロック同期をとるための余分な受信時間が発生し、これが受信機の省電力化の妨げになっていた。そこで、本発明では、図１（Ｂ）に示すように、送信機から同期信号を短時間に複数回連続して送信し、受信機側では、連続して送信される同期信号のうち１つのみ受信する。これにより、受信機側では、時間Ｔｍ´（Ｔｍ´≦Ｔｍ）だけ早めに受信動作を開始するだけで、基準クロックの同期を取ることができる。【選択図】図１
2010041423.tif 000002
【特許請求の範囲】
【請求項１】
所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムであって、
前記送信機は、
前記送信周期の開始時点から前記送信周期よりも短い間隔で複数回、連続して前記同期信号を送信する複数同期信号送信手段を
備え、
前記受信機は、
起動後に、前記送信機から送信される複数の同期信号のいずれか１を受信する同期信号検出手段を
備えることを特徴とする無線通信システム。
【請求項２】
前記送信機は、
前記複数個の同期信号のそれぞれに識別情報を付与する識別情報付与手段を
備え、
前記受信機は、受信した前記同期信号に含まれる識別情報に基づいて基準クロックの誤差を補正するクロック誤差補正手段を
備えることを特徴とする請求項１に記載の無線通信システム。
【請求項３】
前記識別情報は、シーケンス番号、あるいはタイムスタンプである
ことを特徴とする請求項２に記載の無線通信システム。
【請求項４】
所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有し、前記送信機が前記送信周期の開始時点から前記送信周期よりも短い間隔で複数回連続して前記同期信号を送信する無線通信システムにおける前記受信機であって、
起動後に、前記送信機から送信される複数の同期信号のいずれか１を受信する同期信号検出手段と、
受信した前記同期信号に基づいて基準クロックの誤差を補正するクロック誤差補正手段と、
を備えることを特徴とする受信機。
【請求項５】
所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有し、前記送信機が前記送信周期の開始時点から前記送信周期よりも短い間隔で複数回連続して、識別情報を付与した同期信号を送信する無線通信システムにおける前記受信機であって、
起動後に、前記送信機から送信される複数の同期信号のいずれか１を受信する同期信号検出手段と、
受信した前記同期信号に含まれる識別情報に基づいて基準クロックの誤差を補正するクロック誤差補正手段と、
を備えることを特徴とする受信機。
【請求項６】
前記識別情報は、シーケンス番号、あるいはタイムスタンプである
ことを特徴とする請求項５に記載の受信機。
【請求項７】
所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムにおける前記送信機であって、
前記送信機は、
前記送信周期の開始時点から前記送信周期よりも短い間隔で複数回、連続して前記同期信号を送信する複数同期信号送信手段を、
を備え、
前記受信機において、前記送信機から送信される複数の同期信号のいずれか１を受信させ、該同期信号に基づいて基準クロックの誤差を補正させること、
を特徴とする送信機。
【請求項８】
所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムにおける前記送信機であって、
前記送信機は、
複数個の同期信号のそれぞれに識別情報を付与する識別情報付与手段と、
前記送信周期の開始時点から前記送信周期よりも短い間隔で複数回、連続して前記識別情報を付与した同期信号を送信する複数同期信号送信手段と、
を備え、
前記受信機において、前記送信機から送信される複数の同期信号のいずれか１を受信させ、該同期信号に含まれる識別情報に基づいて基準クロックの誤差を補正させること、
を特徴とする送信機。
【請求項９】
前記識別情報は、シーケンス番号、あるいはタイムスタンプであること
を特徴とする請求項８に記載の送信機。
【発明の詳細な説明】
【技術分野】
【０００１】
本発明は、無線通信システムにおいて、基地局装置などの送信機から送信される同期信号を、携帯電話などの受信機が受信し、送信機内の基準クロックに対して受信機内の基準クロックを同期させる際に、受信機の受信回路の動作時間を短くすることができ、受信機における低消費電力化を図ることができる、無線通信システム、受信機、および送信機に関する。
【背景技術】
【０００２】
図９は、ＴＤＭＡ方式の無線フレームにより通信を行う、従来の送信機と、受信機の構成例を示す図である。
【０００３】
図９において、送信機１０１Ｃは、アンテナ１０３を通して無線信号を送信する無線回路１０２と、送信データ制御部１１１Ｃを備えている。送信データ制御部１１１Ｃには、同期信号を作成するための同期信号生成部１１２Ｃを有し、また、送信データ１１３が記憶されている。送信信号生成部１１４は、同期信号生成部１１２Ｃで生成された同期信号と送信データ１１３とを基に、無線フレームで送信する送信信号を生成する。送信信号生成部１１４で生成された送信信号は、無線回路１０２により、アンテナ１０３を通して受信機２０１Cに対して送信される。
【０００４】
受信機２０１Ｃは、アンテナ２０３を通して無線信号を受信する無線回路２０２と、データ受信部２１１Ｃと、クロック誤差補正部２１３と、受信動作制御部２１４とを備えている。データ受信部２１１Ｃ中の同期信号検出部２１２は、送信機１０１Ｃから送信される無線フレーム中の同期信号を検出し、クロック誤差補正部２１３は、同期信号検出部２１２で検出された同期信号を基に、受信機２０１Ｃ内の基準クロックを、送信機１０１Ｃ側の基準クロックと同期するように補正する。受信動作制御部２１４では、補正された基準クロックを基に、データ受信部２１１Ｃにおけるデータ受信動作を制御する。
【０００５】
また、図１０は、図９に示す従来の送信機と受信機におけるクロック補正動作について説明するための図である。図１０に示すように、送信機１０１Ｃは、定期的に無線フレーム（基本フレーム）を送信しており、その先頭部分において同期信号が送信されている。
【０００６】
一方、送信機１０１Ｃと受信機２０１Ｃのそれぞれがカウントする基準クロックには誤差が発生する。また、このクロック誤差は時間の経過と共に拡大して行く。このため、受信機２０１Ｃは、定期的（例えば、１５秒間隔）に同期信号のサーチを行ない、常時、自身の基準クロックを、送信機１０１Ｃの基準クロックに同期させている。
【０００７】
この同期信号を受信機２０１Ｃが受信する場合において、送信機１０１Ｃおよび受信機２０１Ｃが、それぞれカウントする基準クロックには誤差が発生しているため、受信機２０１Ｃが、同期信号を受信するためには、動作保証されているクロック誤差分(±Ｔｍ)の時間だけ、すなわち時間Ｔｍだけ、早めに受信動作を開始し同期をとる必要がある。このため、受信機では、送信機側のクロックと同期をとるために余分な受信時間が発生することになる。これが受信機の省電力化の妨げになっており、この問題を解決することが望まれていた。
【０００８】
なお、従来の技術の移動無線通信におけるポーリング方式が開示されている（特許文献１を参照）。このポーリング方式では、ポーリングに要する時間を従来方法よりも長くすることなしに、誤動作の発生確率を減少せしめ、たとえ誤動作が発生しても、次のタイムスロットに悪影響を与えないポーリング方式を提供することを目的としており、上述したような、受信機におけるクロックの同期のために、余分な電力消費が発生する問題を解決しようとするものではない。
【特許文献１】特開平２−６５３２８号公報
【発明の開示】
【発明が解決しようとする課題】
【０００９】
上述したように、従来の送信機および受信機においては、受信機が、同期信号を受信するために、動作保証されているクロック誤差(±Ｔｍ)分の時間だけ、すなわち時間Ｔｍだけ、早めに受信機を動作させ、受信機内のクロック誤差が時間Ｔｍを越えないうちに同期をとる必要があった。このため、クロック同期をとるための余分な受信時間が発生し、これが受信機の省電力化の妨げになっており、この問題を解決することが望まれていた。
【００１０】
本発明は、斯かる実情に鑑みなされたものであり、本発明の目的は、送信機と受信機との間にクロック誤差があっても、受信機の受信回路の動作時間を短くすることができ、低消費電力化が図れる、無線通信システム、受信機、および送信機を提供することにある。
【課題を解決するための手段】
【００１１】
本発明は上記課題を解決するためになされたものであり、本発明の無線通信システムは、所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムであって、前記送信機は、前記送信周期の開始時点から前記送信周期よりも短い間隔で複数回、連続して前記同期信号を送信する複数同期信号送信手段を備え、前記受信機は、起動後に、前記送信機から送信される複数の同期信号のいずれか１を受信する同期信号検出手段を備えることを特徴とする。
上記構成からなる本発明の無線通信システムでは、送信機から同期信号を短時間に複数回連続して送信し、受信機側は連続して送信される複数の同期信号のうち１つのみ受信する。そして、受信した同期信号を基にして、基準クロックの誤差を補正する。
これにより、従来のように所定の送信周期内で１回だけ送信される同期信号を受信するために、受信機が基準クロック誤差を見越して前もって受信動作を開始する場合に比べて、受信動作時間を短縮することができる。このため、受信機の低消費電力化が可能となり、受信機の電池の寿命を長くすることができる。
【００１２】
また、本発明の無線通信システムは、前記送信機は、前記複数個の同期信号のそれぞれに識別情報を付与する識別情報付与手段を備え、前記受信機は、受信した前記同期信号に含まれる識別情報に基づいて基準クロックの誤差を補正するクロック誤差補正手段を備えることを特徴とする。
上記構成からなる本発明の無線通信システムは、送信機から複数連続して送信される同期信号に、識別情報を付与し、受信機は、受信した同期信号中の識別情報を基にして、基準クロックの誤差の補正を行なう。
これにより、受信機は、受信した同期信号の識別情報から、先頭またはその他の任意の同期信号の時間的な位置を算出し、この同期信号の時間的な位置を基に、基準クロックの誤差を補正することができる。
【００１３】
また、本発明の無線通信システムは、前記識別情報は、シーケンス番号、あるいはタイムスタンプであることを特徴とする。
上記構成からなる本発明の無線通信システムは、送信機から複数連続して送信される同期信号に、シーケンス番号またはタイムスタンプまたは付与し、受信機は、受信した同期信号中のシーケンス番号またはタイムスタンプから、先頭またはその他の任意の同期信号の時間的な位置を算出し、この同期信号により基準クロックの補正を行う。
これにより、受信機の低消費電力化が図れる効果に加えて、受信機は、シーケンス番号またはタイムスタンプを基に、先頭またはその他の任意の同期信号の時間的な位置を算出し、この同期信号の時間的な位置を基に、基準クロックの誤差を補正することができる。
【００１４】
また、本発明の受信機は、所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有し、前記送信機が前記送信周期の開始時点から前記送信周期よりも短い間隔で複数回連続して前記同期信号を送信する無線通信システムにおける前記受信機であって、起動後に、前記送信機から送信される複数の同期信号のいずれか１を受信する同期信号検出手段と、受信した前記同期信号に基づいて基準クロックの誤差を補正するクロック誤差補正手段と、を備えることを特徴とする。
上記構成からなる本発明の受信機では、送信機から短時間に複数回連続して送信される同期信号のうちの１つのみ受信する。そして、受信した同期信号を基に、基準クロックの補正を行う。
これにより、従来のように所定の送信周期内で１回だけ送信される同期信号を受信するために、受信機がクロック誤差を見越して前もって受信動作を開始するのに比べて、受信動作時間を短縮することができる。このため、受信機の低消費電力化が可能となり、受信機の電池の寿命を長くすることができる。
【００１５】
また、本発明の受信機は、所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有し、前記送信機が前記送信周期の開始時点から前記送信周期よりも短い間隔で複数回連続して、識別情報を付与した同期信号を送信する無線通信システムにおける前記受信機であって、起動後に、前記送信機から送信される複数の同期信号のいずれか１を受信する同期信号検出手段と、受信した前記同期信号に含まれる識別情報に基づいて基準クロックの誤差を補正するクロック誤差補正手段と、を備えることを特徴とする。
上記構成からなる本発明の受信機では、送信機から短時間に複数回連続して送信される同期信号のうちの１つのみ受信する。そして、受信した同期信号中の識別情報から、先頭またはその他の任意の同期信号の時間的な位置を算出し、この同期信号の時間的な位置を基に、基準クロックの補正を行う。
これにより、従来のように所定の送信周期内で１回だけ送信される同期信号を受信するために、受信機がクロック誤差を見越して前もって受信動作を開始するのに比べて、受信動作時間を短縮することができる。このため、受信機の低消費電力化が可能となり、受信機の電池の寿命を長くすることができる。また、受信機は、同期信号の識別情報により、複数の同期信号中の任意の同期信号の時間的な位置を基に、自身の基準クロックの誤差を補正することができる。
【００１６】
また、本発明の受信機は、前記識別情報は、シーケンス番号、あるいはタイムスタンプであることを特徴とする。
上記構成からなる本発明の受信機では、送信機から複数連続して送信される同期信号に、シーケンス番号またはタイムスタンプまたは付与し、受信機は、受信した同期信号中のシーケンス番号またはタイムスタンプから、先頭またはその他の同期信号の時間的な位置を算出し、この同期信号により基準クロックの補正を行う。
これにより、受信機の低消費電力化が図れる効果に加えて、受信機は、シーケンス番号またはタイムスタンプを基に、複数の同期信号中の先頭またはその他の任意の同期信号の時間的な位置を算出し、この同期信号の時間的な位置を基に、基準クロックの誤差を補正することができる。
【００１７】
また、本発明の送信機は、所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムにおける前記送信機であって、前記送信機は、前記送信周期の開始時点から前記送信周期よりも短い間隔で複数回、連続して前記同期信号を送信する複数同期信号送信手段を、を備え、前記受信機において、前記送信機から送信される複数の同期信号のいずれか１を受信させ、該同期信号に基づいて基準クロックの誤差を補正させること、を特徴とする。
上記構成からなる本発明の送信機では、複数連続して同期信号を送信する。受信機は、送信機から複数回連続して送信される同期信号のうちの１つのみ受信する。そして、受信した同期信号を基に、基準クロックの補正を行う。
これにより、従来のように所定の送信周期内で１回だけ送信される同期信号を受信するために、受信機がクロック誤差を見越して前もって受信動作を開始するのに比べて、受信動作時間を短縮することができる。このため、受信機の低消費電力化が可能となり、受信機の電池の寿命を長くすることができる。
【００１８】
また、本発明の送信機は、所定の送信周期で同期信号を送信する送信機と、前記送信機の同期信号を受信する受信間隔が予め定められ、前記受信間隔で起動を行うと共に、前記送信機から送信される同期信号を検出して基準クロックの誤差を補正する受信機とを有する無線通信システムにおける前記送信機であって、前記送信機は、複数個の同期信号のそれぞれに識別情報を付与する識別情報付与手段と、前記送信周期の開始時点から前記送信周期よりも短い間隔で複数回、連続して前記識別情報を付与した同期信号を送信する複数同期信号送信手段と、を備え、前記受信機において、前記送信機から送信される複数の同期信号のいずれか１を受信させ、該同期信号に含まれる識別情報に基づいて基準クロックの誤差を補正させること、を特徴とする。
上記構成からなる本発明の送信機では、複数連続して送信する同期信号のそれぞれに識別情報を付与して、受信機に送信する。受信機は、送信機から複数回連続して送信される同期信号のうちの１つのみ受信する。そして、受信した同期信号中の識別情報から、先頭またはその他の任意の同期信号の時間的な位置を算出し、この同期信号の時間的な位置を基に、基準クロックの補正を行う。
これにより、従来のように所定の送信周期内で１回だけ送信される同期信号を受信するために、受信機がクロック誤差を見越して前もって受信動作を開始するのに比べて、受信動作時間を短縮することができる。このため、受信機の低消費電力化が可能となり、受信機の電池の寿命を長くすることができる。また、受信機は、同期信号の識別情報により、複数の同期信号中の任意の同期信号の時間的な位置を基に、自身の基準クロックの誤差を補正することができる。
【００１９】
また、本発明の送信機は、前記識別情報は、シーケンス番号、あるいはタイムスタンプであることを特徴とする。
これにより、受信機の低消費電力化が図れる効果に加えて、受信機は、シーケンス番号またはタイムスタンプを基に、複数の同期信号中の先頭またはその他の任意の同期信号の時間的な位置を算出し、この同期信号の時間的な位置を基に、基準クロックの誤差を補正することができる。
【発明の効果】
【００２０】
本発明においては、送信機と受信機との間のクロック誤差があっても、受信機の受信回路の動作時間を短くして、送信機から送信される同期信号を受信することができるので、受信機における低消費電力化が図れる。また、複数の同期信号を連続して送信することで、電波干渉の影響を受けにくくなるという効果もある。
【発明を実施するための最良の形態】
【００２１】
以下、本発明の実施の形態を添付図面を参照して説明する。
【００２２】
［第１の実施の形態］
図１は、本発明の第１の実施の形態における送信機と受信機の動作を説明するための図である。図１（Ａ）は、従来の方法の場合を示しており、図１０に示した例と同じものであり、すなわち、従来方法の場合は、時間Ｔｍだけ、早めに受信機を動作させ、受信機内のクロック誤差が時間Ｔｍを越えないうちに同期を取っていた。このため、クロック同期をとるための余分な受信時間が発生し、これが受信機の省電力化の妨げになっていた。
【００２３】
そこで、本発明の第１の実施の形態では、図１（Ｂ）に示すように、送信機から同期信号を短時間に複数回連続して送信する。図１（Ｂ）に示す例では、同期信号送信周期（Ｔｆ）で、７個の同期信号を連続して送信する。
【００２４】
そして、受信機側では、連続して送信される同期信号のうち１つのみ受信する。これにより、受信機側では、時間Ｔｍ´（Ｔｍ´≦Ｔｆ）だけ早めに受信動作を開始するだけで、クロックの同期を取ることができる。なお、クロックの同期が取れた後は、受信動作を停止する。
【００２５】
これにより、受信機側では、時間Ｔｍ´（Ｔｍ´≦Ｔｍ）だけ早めに受信動作を開始するだけで、クロック同期を取ることが可能になり、従来のように、クロック誤差を見越しての時間Ｔｍだけ早めに受信動作を開始するのに比べ、受信動作時間を短縮することができる。このため、受信機の低消費電力化が可能となる。
【００２６】
また、図２は、本発明の第２の実施の形態における送信機と受信機の構成を示す図であり、送信機と受信機の機能ブロックを示す図である。図２において、送信機１０１と受信機２０１とはＴＤＭＡ方式の無線フレームにより通信を行う。
【００２７】
送信機１０１は、アンテナ１０３を通して無線信号を送受信する無線回路１０２と、送信データ制御部１１１とを備えている。送信データ制御部１１１には、複数の同期信号を生成するための同期信号複数生成部１１２を有し、また、送信データ１１３が記憶されている。送信信号生成部１１４は、同期信号複数生成部１１２で生成された同期信号と送信データ１１３とを基に、無線フレームで送信する送信信号を生成する。
【００２８】
送信信号生成部１１４で生成された複数の同期信号を含む送信信号は、無線回路１０２により、アンテナ１０３を通して受信機２０１に対して送信される。
【００２９】
受信機２０１は、アンテナ２０３を通して無線信号を送受信する無線回路２０２と、データ受信部２１１と、受信動作制御部２１４と、クロック誤差補正部２１３とを備えている。
【００３０】
データ受信部２１１中の同期信号検出部２１２は、送信機１０１から送信される複数の同期信号の内のいずれかの１の同期信号を検出する。クロック誤差補正部２１３は、同期信号検出部２１２により検出した同期信号の信号を基に、受信機２０１内の基準クロックを、送信機１０１側のクロックと同期するように補正する。受信動作制御部２１４では、補正された基準クロックを基に、データ受信部２１１におけるデータ受信動作を制御する。
【００３１】
なお、前述の送信機は、送信機１０１が相当し、前述の受信機は、受信機２０１が相当する。また、前述の複数同期信号送信手段は、同期信号複数生成部１１２と、送信信号生成部１１４と、無線回路１０２により、その機能が実現されるものである。また、前述の同期信号検出手段は、データ受信部２１１内の同期信号検出部２１２が相当する。また、前述のクロック誤差補正手段は、クロック誤差補正部２１３が相当する。
【００３２】
また、図３は、図２に示す送信機１０１および受信機２０１のハードウェア構成を示す図である。図に示すように、送信機１０１は、ＣＰＵ（Central Processing Unit）１２１、ＲＯＭ(Read Only Memory)１２２、ＲＡＭ（Random Access Memory）１２３からなるコンピュータシステムを有している。
【００３３】
そして、送信データ制御部１１１、送信データ制御部１１１内の同期信号複数生成部１１２、および送信信号生成部１１４等における処理は、ＣＰＵ１２１がＲＯＭ１２２等からプログラムを読み出して実行することにより、その機能が実現されるものである（もちろん、専用のハードウェアにより実現されるものであってもよい）。
【００３４】
同様にして、受信機２０１は、ＣＰＵ２２１、ＲＯＭ２２２、ＲＡＭ２２３らなるコンピュータシステムを有している。そして、同期信号検出部２１２、クロック誤差補正部２１３、および受信動作制御部２１４における処理は、ＣＰＵ２２１がＲＯＭ２２２等からプログラムを読み出して実行することにより、その機能が実現されるものである（もちろん、専用のハードウェアにより実現されるものであってもよい）。
【００３５】
［第２の実施の形態］
次に、本発明の第２の実施の形態について説明する。第１の実施の形態においては、受信機内のクロックを、送信機のクロックと同期させることができるが、送信機から送信される複数の同期信号のうちのどの同期信号を使用したかが不明であり、同期信号の先頭位置を検知して同期を取ることはできなかった。すなわち、無線信号の先頭位置または所望の同期信号の位置にあわせてクロックの同期を取ることはできなかった。
【００３６】
本発明の第２の実施の形態においては、複数の同期信号のうちの先頭または所望の同期信号に合わせてクロック誤差を補正する例について説明する。
【００３７】
図４は、本発明の第２の実施の形態における送信機と受信機の動作を説明するための図である。
【００３８】
図４に示す例は、図１（Ｂ）に示す第１の実施の形態と比較して、複数の同期信号にシーケンス番号を付加した点が異なる。
【００３９】
図４（Ａ）に示すように、送信機は、シーケンス番号（１）、（２）、・・・・（７）が付与された複数の同期信号を送信する。そして、図４（Ｂ）に示すように、受信機は、Ｔｍ´だけ早めに同期信号の受信を開始し、図の例では、６番目の同期信号（６）を受信する。
【００４０】
同期信号（６）を受信した受信機は、このシーケンス番号を基に、図４（Ｃ）に示す補正前のクロックを、図４（Ｄ）に示すように、複数の同期信号中の中心の同期信号（４）のタイミングに合わせて補正することができる。もちろん、先頭の同期信号（１）のタイミングに合わせて補正することもできる。
【００４１】
このように、送信機から複数連続して送信される同期信号に、シーケンス番号を付与することにより、受信機は、受信した同期信号中のシーケンス番号から、所望の同期信号を基にしてクロック誤差を検出し、基準クロックの補正を行うことができる。
【００４２】
図５は、本発明の第２の実施の形態における送信機と受信機の構成を示す図であり、送信機と受信機の機能ブロックを示す図である。
【００４３】
図５に示す送信機１０１Ａが、図２に示す送信機１０１と構成上異なるのは、図４に示す送信機１０１Ａには、送信データ制御部１１１Ａ内に同期信号シーケンス番号生成部１１５を新たに追加した点であり、他の構成は図２に示す送信機１０１と同様である。このため、同一の構成部分には同一の符号を付し、重複する説明は省略する。
【００４４】
この同期信号シーケンス番号生成部１１５では、同期信号複数生成部１１２で生成される同期信号に対し、それぞれのシーケンス番号を付与する処理を行なう。
【００４５】
また、図５に示す受信機２０１Ａが、図２に示す受信機２０１と構成上異なるのは、図４に示す受信機２０１Ａには、データ受信部２１１Ａ内にシーケンス番号検出部２１５と、同期位置検出部２１６とが新たに追加された点であり、他の構成は図２に示す受信機２０１と同様である。このため、同一の構成部分には同一の符号を付し、重複する説明は省略する。
【００４６】
このシーケンス番号検出部２１５では、送信機１０１Ａから受信した同期信号に含まれるシーケンス番号の情報を検出する。また、同期信号位置検出部２１６は、シーケンス番号検出部２１５により検出したシーケンス番号を基に、例えば、中心に位置する同期信号（４）（図４を参照）の時間的な位置を判定する。
【００４７】
なお、図５において、前述の識別情報付与手段は、同期信号シーケンス番号生成部１１５が相当する。また、前述の同期信号検出手段は、データ受信部２１１Ａ内の同期信号検出部２１２、シーケンス番号検出部２１５、および同期信号位置検出部２１６が相当する。
【００４８】
なお、図５に示す送信機および受信機のハードウェア構成は、図３に示した第１の実施の形態におけるハードウェア構成と同様である。
【００４９】
また、図６は、上述した第２の実施の形態の受信機におけるクロック誤差修正処理の流れをフローチャートで示したものである。以下、図６を参照して、その処理の流れについて説明する。
【００５０】
受信機は、同期信号の受信処理を開始し（ステップＳ１）、送信機から送信される複数の同期信号を検出すると共に、検出した同期信号の時間的な位置と、シーケンス番号を検出する（ステップＳ２）。
【００５１】
そして、検出した同期信号の時間的な位置と、シーケンス番号とを基に、同期信号の位置（図４の例では中心に位置する同期信号（４）の位置）と、受信機内の基準クロックの位置とを比較し、クロック誤差があるかどうかを判定する（ステップＳ３）。クロック誤差がある場合は（ステップＳ４：Ｙｅｓ）、クロック誤差の修正処理を行なう（ステップＳ４）。クロック誤差がない場合は（ステップＳ３：Ｎｏ）、クロック誤差の修正処理を行なわない。
【００５２】
このようにして、受信機では、送信機から送信される複数の同期信号のいずれかを検出して、自身のクロック誤差を補正することができる。
【００５３】
［第３の実施の形態］
次に、本発明の第３の実施の形態について説明する。第３の実施の形態は、第２の実施の形態と同様に、送信機から送信される複数の同期信号のうちの、先頭またはその他の任意の同期信号に合わせて基準クロックの同期を取る例である。
【００５４】
図７は、本発明の第３の実施の形態における送信機と受信機の動作を説明するための図である。
【００５５】
図７に示す例は、図１（Ｂ）に示す第１の実施の形態と比較して、複数の同期信号にタイムスタンプの情報を付加した点が異なる。
【００５６】
図７（Ａ）に示すように、送信機は、タイムスタンプＴ１、Ｔ２、・・・・Ｔ７が付与された複数の同期信号を送信する。そして、図７（Ｂ）に示すようには、受信機は、Ｔｍ´だけ早めに同期信号の受信を開始し、図の例では、６番目の同期信号Ｔ６を受信する。
【００５７】
同期信号Ｔ６を受信した受信機は、このタイムスタンプを基に、図７（Ｃ）に示す補正前のクロックを、図７（Ｄ）に示すように、複数の同期信号中の中心の同期信号Ｔ４のタイミングに合わせて基準クロックを補正することができる。
【００５８】
このように、送信機から複数連続して送信される同期信号に、タイムスタンプを付与することにより、受信機は、受信した同期信号中のタイムスタンプの情報から送信機との間のクロック誤差を検出し、基準クロックの補正を行うことができる。
【００５９】
図８は、本発明の第３の実施の形態における送信機と受信機の構成を示す図であり、送信機と受信機の機能ブロックを示す図である。
【００６０】
図８に示す送信機１０１Ｂが、図２に示す第１の実施の形態における送信機１０１と構成上異なるのは、図４に示す送信機１０１Ｂには、送信データ制御部１１１Ｂ内に同期信号タイムスタンプ生成部１１６を新たに追加した点であり、他の構成は図２に示す送信機１０１と同様である。このため、同一の構成部分には同一の符号を付し、重複する説明は省略する。
【００６１】
この同期信号タイムスタンプ生成部１１６では、同期信号複数生成部１１２で生成される同期信号に対し、それぞれのタイムスタンプを付与する処理を行なう。このタイムスタンプは、ＲＴＣ（Real Time Clock）を基に生成される相対時間か、またはＲＴＣ自身の絶対時間の情報が使用される。
【００６２】
また、図８に示す受信機２０１Ｂが、図２に示す受信機２０１と構成上異なるのは、図８に示す受信機２０１Ｂには、データ受信部２１１Ｂ内にタイムスタンプ検出部２１７と、同期位置検出部２１８とが新たに追加された点であり、他の構成は図２に示す受信機２０１と同様である。このため、同一の構成部分には同一の符号を付し、重複する説明は省略する。
【００６３】
このタイムスタンプ検出部２１７では、送信機１０１Ｂから受信した同期信号に含まれるタイムスタンプの情報を検出する。同期位置検出部２１８は、タイムスタンプ検出部２１７により検出されたタイムスタンプの情報を基に、例えば、中心に位置する同期信号Ｔ４（図７を参照）の時間的な位置を判定する。
【００６４】
なお、図８において、前述の識別情報付与手段は、同期信号タイムスタンプ生成部１１６が相当する。また、前述の同期信号検出手段は、データ受信部２１１Ｂ内の同期信号検出部２１２、タイムスタンプ検出部２１７、および同期信号位置検出部２１８が相当する。
【００６５】
また、図８に示す送信機および受信機のハードウェア構成は、図３に示した第１の実施の形態におけるハードウェア構成と同様であり、また、図６に示したフローチャートも、同様に適用できるものである。
【００６６】
以上説明したように本発明においては、送受信機間のクロック誤差があっても、受信機の受信回路の動作時間を短くすることが出来るので、低消費電力化が可能となる。また、受信機の動作時間が短くても、同期信号を受信でき、送受信機間の基準クロック誤差の補正が可能となる。さらに、複数の同期信号を連続して送信することで、電波干渉の影響を受けにくくなる。
【００６７】
以上、本発明の実施の形態について説明したが、本発明の無線通信システム、受信機、および送信機は、上述の図示例にのみ限定されるものではなく、本発明の要旨を逸脱しない範囲内において種々変更を加え得ることは勿論である。
【図面の簡単な説明】
【００６８】
【図１】本発明の第１の実施の形態における送信機と受信機の動作を説明するための図である。
【図２】本発明の第１の実施の形態における送信機と受信機の構成を示す図である。
【図３】送信機と受信機のハードウェア構成を示す図である。
【図４】本発明の第２の実施の形態における送信機と受信機の動作を説明するための図である。
【図５】本発明の第２の実施の形態における送信機と受信機の構成を示す図である。
【図６】第２の実施の形態の受信機におけるクロック誤差補正処理の流れを示すフローチャートである。
【図７】本発明の第３の実施の形態における送信機と受信機の動作を説明するための図である。
【図８】本発明の第３の実施の形態における送信機と受信機の構成を示す図である。
【図９】従来の送信機と受信機の構成例を示す図である。
【図１０】従来の送信機と受信機におけるクロック補正動作について説明するための図である。
【符号の説明】
【００６９】
１０１、１０１Ａ、１０１Ｂ、１０１Ｃ・・・送信機、１０２・・・無線回路、１０３・・・アンテナ、１１１、１１１Ａ、１１１Ｂ、１１１Ｃ・・・送信データ制御部、１１２・・・同期信号複数生成部、１１２Ｃ・・・同期信号生成部、１１３・・・送信データ、１１４・・・送信信号生成部、１１５・・・同期信号シーケンス番号生成部、１１６・・・同期信号タイムスタンプ生成部、２０１、２０１Ａ、２０１Ｂ、２０１Ｃ・・・受信機、２０２・・・無線回路、２０３・・・アンテナ、２１１、２１１Ａ、２１１Ｂ、２１１Ｃ・・・データ受信部、２１２・・・同期信号検出部、２１３・・・クロック誤差補正部、２１４・・・受信動作制御部、２１５・・・シーケンス番号検出部、２１６・・・同期信号位置検出部、２１７・・・タイムスタンプ検出部、２１８・・・同期信号位置検出部
【図１】
2010041423.tif 000003
【図２】
2010041423.tif 000004
【図３】
2010041423.tif 000005
【図４】
2010041423.tif 000006
【図５】
2010041423.tif 000007
【図６】
2010041423.tif 000008
【図７】
2010041423.tif 000009
【図８】
2010041423.tif 000010
【図９】
2010041423.tif 000011
【図１０】
2010041423.tif 000012